(57)【要約】【課題】本体枠の左右に設けた把持用開口から手を差し入れて行う運搬する作業を効率的且つ安全に行えると共に、組み立て作業の効率化も期せる遊技機を提供する。【解決手段】本体枠２の第１，第２側壁２ａ，２ｂに設けた把持用開口部２５，２５に、手で握りやすい膨出形状の把持部４２を備える合成樹脂製の保護部材４０を取り付け、該状態において保護部材４０の内側上面に溝部４６を開口させておき、載置部材３０１の左右両端を下方に屈曲形成した取付片３３の略中央に上記溝部４６と略同形状の嵌合凸片部３３ａを形成し、載置部材３０１の左右両側方の嵌合凸片部３３ａ，３３ａを左右両側に取り付けた保護部材４０，４０の各溝部４６へ上方から落とし込むことで、本体枠２に対する載置部材３０１の適切な位置決めが行われ、金属製の載置部材３０１の嵌合凸片部３３ａによって合成樹脂製の保護部材４０が補強される。【選択図】図３
2005270239.tif 000002
【特許請求の範囲】
【請求項１】
前面が開口した箱形形状に構成され、前面枠が開閉可能に軸着された本体枠と、
前記本体枠内部に設けられ、複数の図柄を可変表示可能な可変表示装置を載置する載置部材と、
前記本体枠の左右両側壁に夫々手差し用の開口として形成した把持用開口部と、
を備える遊技機において、
前記載置部材の左右両側端部には各々取付部を設け、
前記把持用開口部の少なくとも上部壁面に当接する当接部と、前記把持用開口部へ差し込まれた手が把持する把持部と、前記載置部材の取付部が取り付けられる被取付部と、を有する保護部材を、左右両側壁の把持用開口部に各々設け、
前記保護部材の把持部は、前後方向の略中央部で最も下方に膨出する中央膨出部から前後両方向に向って膨出量が徐々に減少する滑らかな曲面形状の把持面を備えることを特徴とする遊技機。
【請求項２】
前記保護部材の当接部は、
前記把持用開口部の上部壁面に当着する当着面と、
前記当着面の外側縁部より上方へ延出して本体枠の側壁外面に当接する外側延出壁と、
前記当着面の内側縁部より本体枠内面の側壁内面と適宜な離隔空部を介して対峙するように上方へ延出する内側延出壁と、
を備えるものとし、
前記保護部材の被取付部は、前記内側延出壁と本体枠内面の側壁内面との間に開口する所要形状の溝部とし、
前記載置部材の取付部は、前記保護部材の溝部に嵌入する所要形状の取付片を備えることを特徴とする請求項１に記載の遊技機。
【請求項３】
前記把持用開口部の上部壁面は、前記保護部材の把持部における曲面状の把持面と略相似形とし、
前記保護部材の当接部は、
前記把持用開口部の上部壁面に当着する当着面と、
前記当着面の外側縁部より上方へ延出して本体枠の側壁外面に当接する外側延出壁と、
前記当着面の内側縁部より本体枠内面の側壁内面と適宜な離隔空部を介して対峙するように上方へ延出する内側延出壁と、
を備えるものとし、
前記保護部材の被取付部は、前記内側延出壁と本体枠内面の側壁内面との間に形成される取付部嵌入空部とし、
前記載置部材の取付部は、前記保護部材の取付部嵌入空部に嵌入する所要形状の取付片を備えることを特徴とする請求項１に記載の遊技機。
【請求項４】
前記保護部材の被取付部は、前記把持部の内側面を平面とした被取付面とし、
前記載置部材の取付部は、前記保護部材の被取付面と略同形状で被取付面に取り付けられる取付片を備えることを特徴とする請求項１に記載の遊技機。
【請求項５】
前記保護部材の被取付部は、
前記把持部の内側面を平面とした被取付面と、
前記被取付面の適所に設けた所要形状の嵌合凹部と、
を備えるものとし、
前記載置部材の取付部は、
前記保護部材の被取付面に取り付けられる取付片と、
前記取付片の適所より外側に突出して、前記被取付面の嵌合凹部に嵌合する所要形状の嵌合凸部と、
を備えるものとしたことを特徴とする請求項１に記載の遊技機。
【請求項６】
前記保護部材の被取付部は、前記把持部の内側面を平面とした被取付面を備えるものとし、
前記載置部材の取付部は、
前記保護部材の被取付面に取り付けられる取付片と、
前記本体枠の側壁内面に向って延出する被支持片と、
を備えるものとし、
前記本体枠の側壁内面適所には、前記載置部材の被支持片が載る支持部材を設けたことを特徴とする請求項１に記載の遊技機。
【発明の詳細な説明】
【技術分野】
【０００１】
本発明は、前面が開口した箱形形状に構成され、前面枠が開閉可能に軸着された本体枠と、前記本体枠内部に設けられ、複数の図柄を可変表示可能な可変表示装置を載置する載置部材と、前記本体枠の左右両側壁に夫々手差し用の開口して形成した把持用開口部と、を備える遊技機に関する。
【背景技術】
【０００２】
従来の遊技機、例えば、パチスロ遊技機は、前面が開口した箱形形状の本体枠と、この本体枠内部に設けられ、複数の図柄を可変表示可能な可変表示装置を載置する載置部材と、上記本体枠の開口部の一側方に回動可能に軸支され、開口部を塞ぐように閉止状態で取付けられた前面枠とを備える概略構成となっている。
【０００３】
そして、本体枠の内部には、ホッパー等のコイン払出装置、複数の図柄を可変表示可能なリール式等の可変表示装置、および制御装置などが設けられる一方で、前面枠には各種操作部、並びに、これら操作部の操作状態を検出する検出手段（センサ等）などが設けられており、パチスロ遊技機は、手で持つには大変重いものであった。
【０００４】
このようなパチスロ遊技機の本体枠は通常木製であり、この本体枠の左右の側壁適所を切り欠くことで、当該パチスロ遊技機を持ち運ぶ際に手を差し入れて把持するための把持用開口部を設けて、持ち運びの便に供するだけの簡易な構造であったため、パチスロ遊技機を持ち運ぶ際に、把持用開口部のギザギザした角やガサガサした断面部分などが手に当たって痛いなどの問題点があった。
【０００５】
また、本体枠の内部には、可変表示装置を載置する載置部材を略水平状に設けるのであるが、可変表示装置の各リールが前面枠のリール表示窓にピッタリ臨ませるために、薄板状の載置部材を適切な取付位置に取り付けなければならず、組み立て作業が煩雑なものであった。
【０００６】
これらの問題点に対して、把持用開口部へ把持用の金属製保護部材を設けると共に、この保護部材を用いて載置部材を適切な位置に取り付けられるようにした遊技機が提案されている（例えば、特許文献１参照。）。
【０００７】
【特許文献１】特開２００２−３５２０３号公報
【０００８】
しかしながら、上記特許文献１に記載の遊技機においては、把持用開口部に取り付けられる保護部材が、本体枠の開口上縁部に沿った形状で覆っているだけであったため、パチスロ遊技機を持ち運びする際に、上縁部が平坦になっている把持用開口部へ手を差し入れても力が入り難く、搬入作業等の効率化を期せるものではなかった。というのは、パチスロ遊技機を両側から抱え込むようにして持ち上げる作業を行う時、作業者は掌を本体枠側壁に当てて、折り曲げた手指を把持用開口部へ差し入れて持ち上げることとなるが、折り曲げた手指の関節位置は滑らかな曲面状であるのに対して、手指が当たる把持用開口部上縁が平坦面であるために、把持用開口部上縁の側壁を全ての指で均等に保持することができず、安定性が損なわれ、結果的に無駄な力が必要となるからである。
【０００９】
なお、保護部材の形状を変更することで、把持し易い形状（折り曲げた手指の関節位置に沿った滑らかな曲面状）とし、搬入作業等の効率化を図る方法も考えられるが、そのような曲面形状を金属製の保護部材で実現しようとすると、高度な加工技術が必要となり、相当のコストアップになることが予想される。
【００１０】
これに対して、合成樹脂等で曲面形状の把持部を備える保護部材を形成するのであれば、低コストに抑えることができるものの、遊技機の全重量を支えるに十分な強度が確保されないと、作業者に危険が及ぶ可能性もあるため、単純に保護部材の材質変更で対応するわけにもいかない。
【発明の開示】
【発明が解決しようとする課題】
【００１１】
そこで、本発明は、上記問題点に鑑み、本体枠の左右に設けた把持用開口から手を差し入れて行う運搬する作業を効率的且つ安全に行えると共に、組み立て作業の効率化も期せる遊技機の提供を目的とする。
【課題を解決するための手段】
【００１２】
上記の課題を解決するために、請求項１に係る発明は、前面が開口した箱形形状に構成され、前面枠が開閉可能に軸着された本体枠と、前記本体枠内部に設けられ、複数の図柄を可変表示可能な可変表示装置を載置する載置部材と、前記本体枠の左右両側壁に夫々手差し用の開口として形成した把持用開口部と、を備える遊技機において、前記載置部材の左右両側端部には各々取付部を設け、前記把持用開口部の少なくとも上部壁面に当接する当接部と、前記把持用開口部へ差し込まれた手が把持する把持部と、前記載置部材の取付部が取り付けられる被取付部と、を有する保護部材を、左右両側壁の把持用開口部に各々設け、前記保護部材の把持部は、前後方向の略中央部で最も下方に膨出する中央膨出部から前後両方向に向って膨出量が徐々に減少する滑らかな曲面形状の把持面を備えることを特徴とする。
【００１３】
また、請求項２に係る発明は、上記請求項１に記載の遊技機において、前記保護部材の当接部は、前記把持用開口部の上部壁面に当着する当着面と、前記当着面の外側縁部より上方へ延出して本体枠の側壁外面に当接する外側延出壁と、前記当着面の内側縁部より本体枠内面の側壁内面と適宜な離隔空部を介して対峙するように上方へ延出する内側延出壁と、を備えるものとし、前記保護部材の被取付部は、前記内側延出壁と本体枠内面の側壁内面との間に開口する所要形状の溝部とし、前記載置部材の取付部は、前記保護部材の溝部に嵌入する所要形状の取付片を備えることを特徴とする。
【００１４】
また、請求項３に係る発明は、上記請求項１に記載の遊技機において、前記把持用開口部の上部壁面は、前記保護部材の把持部における曲面状の把持面と略相似形とし、前記保護部材の当接部は、前記把持用開口部の上部壁面に当着する当着面と、前記当着面の外側縁部より上方へ延出して本体枠の側壁外面に当接する外側延出壁と、前記当着面の内側縁部より本体枠内面の側壁内面と適宜な離隔空部を介して対峙するように上方へ延出する内側延出壁と、を備えるものとし、前記保護部材の被取付部は、前記内側延出壁と本体枠内面の側壁内面との間に形成される取付部嵌入空部とし、前記載置部材の取付部は、前記保護部材の取付部嵌入空部に嵌入する所要形状の取付片を備えることを特徴とする。
【００１５】
また、請求項４に係る発明は、上記請求項１に記載の遊技機において、前記保護部材の被取付部は、前記把持部の内側面を平面とした被取付面とし、前記載置部材の取付部は、前記保護部材の被取付面と略同形状で被取付面に取り付けられる取付片を備えることを特徴とする。
【００１６】
また、請求項５に係る発明は、上記請求項１に記載の遊技機において、前記保護部材の被取付部は、前記把持部の内側面を平面とした被取付面と、前記被取付面の適所に設けた所要形状の嵌合凹部と、を備えるものとし、前記載置部材の取付部は、前記保護部材の被取付面に取り付けられる取付片と、前記取付片の適所より外側に突出して、前記被取付面の嵌合凹部に嵌合する所要形状の嵌合凸部と、を備えるものとしたことを特徴とする。
【００１７】
また、請求項６に係る発明は、上記請求項１に記載の遊技機において、前記保護部材の被取付部は、前記把持部の内側面を平面とした被取付面を備えるものとし、前記載置部材の取付部は、前記保護部材の被取付面に取り付けられる取付片と、前記本体枠の側壁内面に向って延出する被支持片と、を備えるものとし、前記本体枠の側壁内面適所には、前記載置部材の被支持片が載る支持部材を設けたことを特徴とする。
【発明の効果】
【００１８】
請求項１に係る遊技機によれば、保護部材の把持部は、前後方向の略中央部で最も下方に膨出する中央膨出部から前後両方向に向って膨出量が徐々に減少する滑らかな曲面形状の把持面を備えるものとしたので、運搬作業に際して作業者が把持用開口部から差し入れた手指を把持面にフィットさせることができ、効率的な運搬作業を期せる。しかも、載置部材の左右両側端部に設けた各取付部を、左右両側壁の把持用開口部に各々設ける保護部材の被取付部に各々取り付けるものとしたので、保護部材によって載置部材を取り付ける際の位置決めが容易になると共に、載置部材の取付部によって保護部材を補強することができる。
【００１９】
また、請求項２に係る遊技機によれば、保護部材の被取付部は、内側延出壁と本体枠内面の側壁内面との間に開口する所要形状の溝部とし、載置部材の取付片を保護部材の溝部に嵌入することで、保護部材に対する載置部材の位置決めができるので、載置部材の組み付け作業が容易となる。
【００２０】
また、請求項３に係る遊技機によれば、把持用開口部の上部壁面を把持部の把持面と略相似形とし、保護部材の当接部は、把持用開口部の上部壁面に当着する当着面と、該当着面の外側縁部より上方へ延出して本体枠の側壁外面に当接する外側延出壁と、当着面の内側縁部より本体枠内面の側壁内面と適宜な離隔空部を介して対峙するように上方へ延出する内側延出壁とを備えるものとし、保護部材の被取付部は、内側延出壁と本体枠内面の側壁内面との間に形成される取付部嵌入空部とし、この取付部嵌入空部に載置部材の取付部を嵌入するものとしたので、前後方向の略中央部で最も下方に膨出する中央膨出部から前後両方向に向って膨出量が徐々に減少する滑らかな曲面形状の把持面を有する把持部の内部には、遊技機の側壁と載置部材の取付部が存在することで、把持部の強度を高めることができ、特に、左右両側方への引っ張り力に抗する強度を効果的に高めることができる。
【００２１】
また、請求項４に係る遊技機によれば、保護部材の被取付部は、把持部の内側面を平面とした被取付面とし、載置部材の取付部は、保護部材の被取付面と略同形状で被取付面に取り付けられる取付片とし、この取付片を被取付面に取り付けるものとしたので、運搬作業に際して、作業者は、把持用開口部から差し入れた手指で載置部材の取付片ごと把持部を掴むので、左右両側方への引っ張り力に抗する強度を効果的に高めることができる。
【００２２】
また、請求項５に係る遊技機によれば、把持部の内側面を平面とした被取付面と、該被取付面の適所に設けた所要形状の嵌合凹部と、を保護部材の被取付部が備えるものとし、載置部材の取付部は、保護部材の被取付面に取り付けられる取付片と、該取付片の適所より外側に突出して、被取付面の嵌合凹部に嵌合する所要形状の嵌合凸部と、を備えるものとしたので、保護部材に対する載置部材の位置決めができ、載置部材の組み付け作業が容易となる。
【００２３】
また、請求項６に係る遊技機によれば、保護部材の被取付部は、把持部の内側面を平面とした被取付面を備えるものとし、載置部材の取付部は、保護部材の被取付面に取り付けられる取付片と、本体枠の側壁内面に向って延出する被支持片と、を備えるものとし、本体枠の側壁内面適所には、前記載置部材の被支持片が載る支持部材を設けたので、載置部材を支持部材に載せることにより上下方向の位置決めが成された状態で、保護部材の被取付面に載置部材の取付片を取り付けることが可能となり、組み付け作業が容易となる。
【発明を実施するための最良の形態】
【００２４】
次に、本発明に係る遊技機の実施形態を添付図面に基づき詳細に説明する。本実施形態は、遊技機の一具体例であるパチスロ遊技機に適用したものである。
【００２５】
パチスロ遊技機１は、本体枠２の一側方（図２においては左側）に前面枠３が開閉可能に軸着してあり、前面枠３を閉じた状態では本体枠２の前面に前面枠３が設けられた状態となる。
【００２６】
前面枠３の前面には、図１に示すように、音声による遊技の演出を行うスピーカ部３ａ，３ａ、表示により遊技の演出を行う演出表示装置４ａを透視可能な演出表示窓４、内部に設けられた可変表示装置であるリール装置２０（図２参照）のリール２０ａ，２０ｂ，２０ｃを透視可能なリール表示窓５、コインの投入を行うためのコイン投入口６、コインのクレジット枚数を表示するクレジット枚数表示部７、コインの払い出し枚数を表示する払出枚数表示部８、限度枚数（例えば、３枚）のコインのベットを行うためのマックスベットボタン９、コインのベットを１枚ずつ行うための１ベットボタン１０、遊技の進行に関する表示を行う遊技進行表示部１１、クレジットされたコインの払出を行うためのコイン返却スイッチ１２、リール２０ａ〜２０ｃの回転を開始させることで可変表示遊技を開始するためのスタートレバー１３、リール２０ａ，２０ｂ，２０ｃの回転をそれぞれ停止させるためのストップボタン１４ａ，１４ｂ，１４ｃ、前面枠３を開くための鍵が差し込まれる鍵穴１５、前面枠３の前面の下部領域を構成する飾り板部１６等が設けられ、さらに、前面枠３の前面の最下部には灰皿１７および払い出されたコインを貯留する下皿１８が配設されている。
【００２７】
図２に示すように、本体枠２の内部には、複数の図柄を可変表示可能なリール装置２０、コインの貯留および下皿１８へのコインの払い出しを行うホッパー２１、このホッパー２１からオーバーフローしたコインを貯留する貯留箱２２、電源基板（図示略）を収容する基板ボックス２３、遊技に関する制御を行う制御装置２４等が設けられている。なお、上記制御装置２４は、ホッパー２１によるコインの払い出し動作、リール装置２０によるリール２０ａ〜２０ｃを回転動作の他、演出表示装置４ａやその他の表示部による表示動作の制御を行うようになっている。
【００２８】
また、上記リール装置２０は、各々複数の図柄が付されたリール２０ａ〜２０ｃ、該リール２０ａ〜２０ｃを回転駆動させるためのステッピングモータ（図示略）、これらを収容するリール収容部材２０ｄ等を備えている。このリール装置２０は、本体枠２の内側に略水平状態に固定された載置部材３０１（詳細は後述）の上面に載置されている。
【００２９】
更に、第１側壁２ａ（遊技機１の正面に向かって右側の側壁），第２側壁２ｂ（遊技機１の正面に向かって左側の側壁），上部壁２ｃ，下部壁２ｄおよび裏面壁２ｅによって前面が開口した箱形形状に構成される本体枠２は、第１，第２側壁２ａ，２ｂに夫々手差し用の開口として把持用開口部２５，２５を形成し、これら把持用開口部２５，２５の内側に不正防止カバー部材２６，２６を設けて塞ぎ、例えば、不正行為を行う目的で不正操作部材（針金やセルロイド片など）を上記把持用開口部２５，２５から本体枠２内へ差し込もうとしても、その侵入を阻止できるようにしてある。
【００３０】
上記のように構成したパチスロ遊技機１における遊技について簡単に説明すると、先ず、コイン投入口６よりコインを投入した状態で、或いは、マックスベットボタン９又は１ベットボタン１０の操作によりベットを行った状態で、スタートレバー１３を操作することで、リール装置２０のステッピングモータにより、リール２０ａ〜２０ｃが回転駆動され、これによりリール２０ａ〜２０ｃに付された複数の図柄がリール表示窓５にて移動する可変表示遊技が行われ、その後、ストップボタン１４ａ〜１４ｃを操作することでリール２０ａ〜２０ｃの回転駆動がそれぞれ停止し、リール表示窓５に停止表示された図柄がゲーム開始時に有効となった賭けライン上のどこかに特定表示が揃う（例えば、７，７，７のぞろ目が出る）と、特別遊技状態を発生して所定の遊技価値（例えば、コインの大量獲得が可能な状態など）を付与可能となる。通常の遊技中、又は特別遊技状態において、コインの払い出しがある場合には、所定数のコインがクレジットされるか、又は、ホッパー２１から下皿１８に払い出される。
【００３１】
ここで、上記載置部材３０１の取付構造と把持用開口部２５の保護構造について、図３〜図７に基づいて詳細に説明する。
【００３２】
図３に示すように、合板などからなる第１，第２側壁２ａ，２ｂに各々形成した把持用開口部２５，２５は、例えば、長手方向が、当該パチスロ遊技機１のほぼ前後方向となっており、持ち運びに際して作業者が手を差し入れるのに適した形状としてある。しかしながら、上述した種々の内部機構が装備されたパチスロ遊技機１を持ち運ぶ際には、把持用開口部２５，２５のギザギザした角やガサガサした断面部分などが手に当たって痛いなどの問題点があり、このような不具合を防ぎ、尚且つ、一層効率の良い運搬作業を期せるように、例えば、硬質の合成樹脂により形成した保護部材４０，４０を左右両側の把持用開口部２５，２５に各々装着するものとした。
【００３３】
上記保護部材４０，４０の外観は、図５に示すように、把持用開口部２５の少なくとも上部壁面に当接する当接部として機能する平坦な当着面４１と、把持用開口部２５へ差し込まれた手が把持する把持部４２と、当着面４１の外側縁部より上方へ延出して本体枠２の第１側壁２ａもしくは第２側壁２ｂの外面に当接する外側延出壁４３と、当着面４１の内側縁部より上方へ延出する内側延出壁４４を備える。なお、保護部材４０は前後方向に対象な形状としてあるので、取り付ける際の向きを変えれば、第１側壁２ａに対しても第２側壁２ｂに対しても適用できるが、ここでは、便宜上、第１側壁２ａ（パチスロ遊技機１の正面に向かって右側の側壁）に取り付ける向きを基準として説明する。
【００３４】
上記把持部４２は、前後方向の略中央部で最も下方に膨出する中央膨出部４２１から前部で最も突出量が少なくなる前側窪部４２２および後部で最も突出量が少なくなる後側窪部４２３に向って膨出量が徐々に減少する滑らかな曲面形状の把持面４２ａが形成される。なお、把持面４２ａの曲率は、平均的な成人男性が第２指から第５指の第３関節（ＭＰ関節）を曲げた時の手指の並びに沿った弧形状（第２指から第５指の各中手骨の長さの違いによって生ずる弧形状）に適合するよう調整しておくことが望ましい。
【００３５】
また、上記把持部４２は、前側窪部４２２を越えて前端部４５ａに向かうにつれ若干膨出量を高くし、同様に後側窪部４２３を越えて後端部４５ｂに向かうにつれ若干膨出量を高くすることで、把持面４２ａの前部および後部にちょうど指が収まるぐらいの凹面が生ずるようにした。
【００３６】
更に、保護部材４０における内側延出壁４４の内側には、当着面４１に開口する溝部４６を形成する。この溝部４６は、例えば、上記把持面４２ａにおける中央膨出部４２１から前側窪部４２２および後側窪部４２３に向かう曲面と略相似形となるようにすることで、溝部４６の底面と把持面４２ａとの間にはほぼ一様な厚さの底壁が形成されるようにした。
【００３７】
上記のように構成した保護部材４０は、例えば、外側延出壁４３と内側延出壁４４に夫々２箇所設けた止着孔４７…をビス２７…により止め付けるものとし、この時、保護部材４０の外側延出壁４３が、把持用開口部２５の上縁外側より第１側壁２ａ（もしくは第２側壁２ｂ）の外側面へ形成した浅い平坦な溝状の延出壁当着凹部２８に収まるようにすることで、保護部材４０における外側延出壁４３から把持部４２にかけての平坦な外側面が第１側壁２ａ（もしくは第２側壁２ｂ）の外壁面とほぼ面一な状態とする（図７参照）。更に、この時、内側延出壁４４が第１側壁２ａ（もしくは第２側壁２ｂ）の内面と適宜な離隔空部を介して対峙するように上記当着面４１の横幅を調整してあり、この当着面４１に開口する溝部４６は、外側の壁面（内側延出壁４４に連なる壁面に対向する側の壁面）が第１側壁２ａ（もしくは第２側壁２ｂ）の内壁面とほぼ面一な状態となるように調整してある。
【００３８】
他方、載置部材３０１は、リール装置２０を載置するのに必要十分な奥行きで、かつ、左右幅が本体枠２の内側の左右幅（第１側壁２ａと第２側壁２ｂとの離隔幅）と略同一に設定された金属製の略板状部材である。この載置部材３０１は、リール装置２０を載置するためのリール装置載置面３１と、このリール装置載置面３１の手前側を略垂直下方に短く折り曲げて形成した手前側面３２と、リール装置載置面３１の左右両側方を下方に折り曲げて形成した取付部（保護部材４０に適切な位置決め状態で取り付けられるようにする部位）たる取付片３３，３３を備える。
【００３９】
なお、リール装置載置面３１のやや後部よりの位置には、リール装置２０の後部に係合して、該リール装置２０の後部を位置決めするためのリール装置係合部３４が設けられている。このリール装置係合部３４は、例えば、リール装置載置面３１を切り欠くことで形成された切り欠き片を、前方やや上側に突出するように折曲げ形成することにより構成されたものである。
【００４０】
さらに、リール装置載置面３１のうち、リール装置２０が載置される部分を避けた位置、具体的には、例えば、リール装置載置面３１のうち、左右いずれか一方寄りの位置（図４および図４においては、第２側壁２ｂ寄りの位置）には、配線類を挿通するための配線用挿通孔３５が形成されている。この配線用挿通孔３５に挿通される配線類には、例えば、リール装置載置面３１よりも上方に位置するリール装置２０や制御装置２４と、該リール装置載置面３１よりも下方に位置する基板ボックス２３やホッパー２１とを電気的に接続する電気配線などが含まれる。
【００４１】
また、載置部材３０１のうち、リール装置載置面３１から手前側面３２にかけての部分には、リール装置２０のリール収容部材２０ｄにおいて各リール２１ａ〜２１ｃの収納領域を仕切る仕切部の下端部の左右方向及び奥側への移動を規制して、リール装置２０を位置決めするための位置決め用切り欠き部３６，３６，３６が形成されている。
【００４２】
上記載置部材３０１の左右両側端部に形成した取付片３３，３３は、前後方向に長尺な略四角形状で、その下部中央から弧状に下方へ延出する嵌合部３３ａを形成してある。この嵌合部３３ａは、上記保護部材４０の溝部４６にちょうど嵌合する形状および厚さに設定してあり、第１，第２側壁２ａ，２ｂの各把持用開口部２５，２５に保護部材４０，４０へ取り付けた状態で、各保護部材４０，４０の当着面４１に開口する溝部４６へ上記載置部材３０１の左右両側端部に形成した取付片３３，３３の嵌合部３３ａを落とし込むと、嵌合部３３ａがちょうど溝部４６に嵌まり込む適切な位置に納まる。すなわち、本実施形態においては、保護部材４０に設けた溝部４６が、載置部材３０１の取付部（取付片３３の嵌合凸片部３３ａ）が取り付けられる被取付部として機能する。
【００４３】
上記のように、載置部材３０１を保護部材４０，４０によって適切な状態に位置決めした後には、保護部材４０の内側延出壁４４に開設した止着孔４７，４７から載置部材３０１の取付片３３の対応位置に開設した止着孔３３ｂ，３３ｂを通して第１側壁２ａ（もしくは第２側壁２ｂ）へビス２７で止着し、載置部材３０１を本体枠２に固定する。なお、本実施形態においては、図７に示すように、不正防止カバー部材２６も一緒にビス止めする構成とした。
【００４４】
上述した第１構成例に係る保護部材４０と、これに適合する取付片３３を形成した載置部材３０１を備えるパチスロ遊技機１においては、運搬作業に際して作業者が把持用開口部２５から差し入れた手指を把持部４２の把持面４２ａにフィットさせることができ、効率的な運搬作業を期せる。しかも、載置部材３０１の左右両側端部に設けた各取付片３３，３３の嵌合凸片部３３ａを、左右両側方の把持用開口部２５，２５に各々設けた保護部材４０，４０の溝部４６に嵌め入れるものとしたので、保護部材４０，４０によって載置部材３０１を取り付ける際の位置決めが容易になる。
【００４５】
加えて、載置部材３０１の嵌合凸片部３３ａが溝部４６内に嵌入した状態となるので、複雑な形状に成型が容易な合成樹脂等で作製した保護部材４０を金属製の嵌合凸片部３３ａで補強する効果が得られる。特に、本実施形態のように、把持部４２の前後方向断面に対して溝部４６の占める面積を多くすれば、それだけ溝部４６に嵌入する嵌合凸片部３３ａの面積も増えるので、左右両側方への引っ張り力に抗する強度を効果的に高めることができる。
【００４６】
なお、把持部４２における把持面４２ａの内外両側から内外両側部（外側延出壁４３と内側延出壁４４のに連なる壁部）にかけて、角を面取りした曲面形状に設定してある。この曲面形状としては、図８に示す保護部材４０′の把持面４２ａ′のように半径の大きい曲面として、握りやすい形状になるようにしても良い。ただし、把持面４２ａ′のように半径の大きい曲面とした場合は、溝部４６を浅くする必要があるため、それだけ載置部材３０１の嵌合凸片部３３ａにより補強可能な面積も減るため、注意が必要である。
【００４７】
図９および図１０に示すのは、第２構成例に係る保護部材５０を把持用開口部２９に設けて、載置部材３０１を位置決め・固定する実施形態を示すものである。
【００４８】
先ず、把持用開口部２９の上部壁面は、中央から下方に膨出する中央膨出部２９ａと、前部平坦部２９ｂと、後部平坦部２９ｃを備えるものとし、この把持用開口部２９の上部壁面に当着する保護部材５０の当着面は、上記中央膨出部２９ａの膨出形状に対応する窪み状とした窪状当着面５１ａと、上記前部平坦部２９ｂに対応する平坦状とした前部平坦状当着面５１ｂと、上記後部平坦部２９ｃに対応する平坦状とした後部平坦状当着面５１ｃを備えるものとする。また、保護部材５０は、上記当着面５１（窪状当着面５１ａと前後部平坦状当着面５１ｂ，５１ｃよりなる面）の外側縁部より上方へ延出して本体枠２の第１側壁２ａ（もしくは第２側壁２ｂ）に当接する外側延出壁５３と、当着面５１の内側縁部より上方へ延出する内側延出壁５４を備える。
【００４９】
上記把持用開口部２９へ差し込まれた手が把持する把持部５２は、上述した第１構成例の把持部４２と同様に、前後方向の略中央部で最も下方に膨出する中央膨出部５２１から前部で最も突出量が少なくなる前側窪部５２２および後部で最も突出量が少なくなる後側窪部５２３に向って膨出量が徐々に減少する滑らかな曲面形状の把持面５２ａが形成される。また、上記把持部５２は、前側窪部５２２を越えて前端部５５ａに向かうにつれ若干膨出量を高くし、同様に後側窪部５２３を越えて後端部５５ｂに向かうにつれ若干膨出量を高くすることで、把持面５２ａの前部および後部にちょうど指が収まるぐらいの凹面が生ずるようにした。
【００５０】
上記のように構成した保護部材５０は、例えば、外側延出壁５３と内側延出壁５４に夫々２箇所設けた止着孔５６…をビス２７…により止め付けるものとし、この時、保護部材５０の外側延出壁５３が、把持用開口部２９の上縁外側より第１側壁２ａ（もしくは第２側壁２ｂ）の外側面へ形成した浅い平坦な溝状の延出壁当着凹部２８′に収まるようにすることで、保護部材５０における外側延出壁５３から把持部５２にかけての平坦な外側面が第１側壁２ａ（もしくは第２側壁２ｂ）の外壁面とほぼ面一な状態とする（図１０参照）。更に、この時、内側延出壁５４が第１側壁２ａ（もしくは第２側壁２ｂ）の内面と適宜な離隔空部を介して対峙するように上記当着面５１の横幅を調整してある。
【００５１】
すなわち、内側延出壁５４と第１側壁２ａ（もしくは第２側壁２ｂ）の内面との間に形成される離隔空部が、載置部材３０１の取付片３３に形成した嵌合凸片部３３ａを嵌入させる取付部嵌入空部として機能し、第１，第２側壁２ａ，２ｂの各把持用開口部２９，２９に保護部材５０，５０へ取り付けた状態で、各保護部材５０，５０の内側延出壁５４と第１側壁２ａ（もしくは第２側壁２ｂ）の内面との間に形成される取付部嵌入空部へ上記載置部材３０１の左右両側端部に形成した取付片３３，３３の嵌合部３３ａを落とし込むと、載置部材３０１が適切な状態に位置決めされる。なお、把持用開口部２９を介して不正部材が挿入されることを防止するために、上述した実施形態と同様に、不正防止カバー部材２６を設けるようにしても良い。
【００５２】
上述した第２構成例に係る保護部材５０と、これに適合する把持用開口部２９および載置部材３０１を備えるパチスロ遊技機１においても、上述した実施形態と同様に、運搬作業に際して作業者が把持用開口部２９から差し入れた手指を把持部５２の把持面５２ａにフィットさせることができ、効率的な運搬作業を期せる。しかも、載置部材３０１の左右両側端部に設けた各取付片３３，３３の嵌合凸片部３３ａを、左右両側方の把持用開口部２９，２９に各々設けた保護部材５０，５０の内側延出壁５４と第１側壁２ａ（もしくは第２側壁２ｂ）の内面との間に形成される取付部嵌入空部に嵌め入れるものとしたので、保護部材５０，５０によって載置部材３０１を取り付ける際の位置決めが容易になる。
【００５３】
加えて、本構成例の保護部材５０は、把持部５２における把持面５２と略相似形の中央膨出部２９ａに当着するように窪状当着面５１ａを形成したので、窪状当着面５１ａと把持面５２との間にほぼ均一な壁部が形成され、その内部には本体枠２の第１側壁２ａ（もしくは第２側壁２ｂ）および載置部材３０１の嵌合凸片部３３ａが入った状態となるので、合成樹脂等で形成した保護部材５０の強度確保に極めて効果的な構造となる。
【００５４】
図１１および図１２に示すのは、第３構成例に係る保護部材６０を把持用開口部２５に設けて、載置部材３０２を位置決め・固定する実施形態を示すものである。
【００５５】
上記保護部材６０の外観は、図１１に示すように、把持用開口部２５の少なくとも上部壁面に当接する平坦な当着面６１と、把持用開口部２５へ差し込まれた手が把持する把持部６２と、当着面６１の外側縁部より上方へ延出して本体枠２の第１側壁２ａ（もしくは第２側壁２ｂ）の外面に当接する外側延出壁６３と、上記把持部６２の内側面（外側延出壁６２が延出していない側の面）を平面とした被取付面６４を備える。
【００５６】
上記把持部６２は、前後方向の略中央部で最も下方に膨出する中央膨出部６２１から前部で最も突出量が少なくなる前側窪部６２２および後部で最も突出量が少なくなる後側窪部６２３に向って膨出量が徐々に減少する滑らかな曲面形状の把持面６２ａが形成される。また、上記把持部６２は、前側窪部６２２を越えて前端部６５ａに向かうにつれ若干膨出量を高くし、同様に後側窪部６２３を越えて後端部６５ｂに向かうにつれ若干膨出量を高くすることで、把持面６２ａの前部および後部にちょうど指が収まるぐらいの凹面が生ずるようにした。
【００５７】
上記のように構成した保護部材６０は、例えば、外側延出壁６３に２箇所設けた止着孔６６…をビス２７…により止め付けるものとし、この時、保護部材６０の外側延出壁６３が、把持用開口部２５の上縁外側より第１側壁２ａ（もしくは第２側壁２ｂ）の外側面へ形成した浅い平坦な溝状の延出壁当着凹部２８に収まるようにすることで、保護部材６０における外側延出壁６３から把持部６２にかけての平坦な外側面が第１側壁２ａ（もしくは第２側壁２ｂ）の外壁面とほぼ面一な状態とする（図１２参照）。更に、この時、把持部６２の内側面である被取付面６４が第１側壁２ａ（もしくは第２側壁２ｂ）の内壁面とほぼ面一な状態となるように調整してある。
【００５８】
そして、保護部材６０により位置決め・固定される載置部材３０２に形成した取付片３３には、上記被取付面６４の形状と略相似形となるように下方に膨出する円弧状突出部を形成してある。また、被取付面６４には、取付片３３に開設した止着孔３３ｂ，３３ｂに対応する部位に止め穴６７，６７を設けてある。すなわち、上記載置部材３０２の取付片３３の外側面を被取付面６４から第１側壁２ａ（もしくは第２側壁２ｂ）の内面に押し当てて、止着孔３３ｂ，３３ｂと止め穴６７，６７が対応するように調整することで、載置部材３０２を適正な取付位置に位置決めでき、この状態でビス２７によって載置部材３０２を保護部材６０に固着すれば良い。なお、本実施形態においては、載置部材３０２を第１側壁２ａ（もしくは第２側壁２ｂ）の内面に直接ビス止めすることで、一層強固に固定できるようにした。また、把持用開口部２５を介して不正部材が挿入されることを防止するために、上述した第１実施形態と同様に、不正防止カバー部材２６を設けるようにしても良い。
【００５９】
上述した第３構成例に係る保護部材６０と、これに適合する把持用開口部２５および載置部材３０２を備えるパチスロ遊技機１においても、上述したと実施形態と同様に、運搬作業に際して作業者が把持用開口部２５から差し入れた手指を把持部６２の把持面６２ａにフィットさせることができ、効率的な運搬作業を期せる。しかも、載置部材３０２の左右両側端部に設けた各取付片３３，３３を、左右両側方の把持用開口部２５，２５に各々設けた保護部材６０，６０の被取付面６４に固着するものとしたので、合成樹脂等で形成した保護部材６０の内面側を金属製の取付片３３で直接補強する構造を実現できる。
【００６０】
図１３および図１４に示すのは、第４構成例に係る保護部材７０を把持用開口部２５に設けて、載置部材３０３を位置決め・固定する実施形態を示すものである。
【００６１】
上記保護部材７０の外観は、図１３（ａ）に示すように、把持用開口部２５の少なくとも上部壁面に当接する平坦な当着面７１と、把持用開口部２５へ差し込まれた手が把持する把持部７２を備える。
【００６２】
上記把持部７２は、前後方向の略中央部で最も下方に膨出する中央膨出部７２１から前部で最も突出量が少なくなる前側窪部７２２および後部で最も突出量が少なくなる後側窪部７２３に向って膨出量が徐々に減少する滑らかな曲面形状の把持面７２ａが形成される。また、上記把持部７２は、前側窪部７２２を越えて前端部７３ａに向かうにつれ若干膨出量を高くし、同様に後側窪部７２３を越えて後端部７３ｂに向かうにつれ若干膨出量を高くすることで、把持面７２ａの前部および後部にちょうど指が収まるぐらいの凹面が生ずるようにした。
【００６３】
上記のように構成した保護部材７０は、把持面７２ａから当着面７１へ貫通する止着孔７４，７４を設け、保護部材７０の把持部７２の外側面７２ｂが第１側壁２ａ（もしくは第２側壁２ｂ）の外壁面とほぼ面一な状態で、尚且つ、把持部７２の内側面７２ｃが第１側壁２ａ（もしくは第２側壁２ｂ）の内壁面とほぼ面一な状態とする（図１４参照）。
【００６４】
そして、保護部材７０により位置決め・固定される載置部材３０３の両端部に形成した取付片３７は、中央を下方に屈曲させた主取付片３７ａと、該主取付片３７ａよりも前の部位を上方に屈曲させた前部補助取付片３７ｂと、主取付片３７ａよりも後の部位を上方に屈曲させた後部補助取付片３７ｃとを備える。これら主取付片３７ａおよび前部補助取付片３７ｂおよび後部補助取付片３７ｃの各外側面は垂直面内でほぼ面一となるようにし、且つ主取付片３７ａは、上記把持部７２の内側面７２ｃの弧形状と略相似形となる円弧状突出部を備えるものとした。また、主取付片３７ａおよび前部補助取付片３７ｂおよび後部補助取付片３７ｃには、保護部材７０の内側面７２ｃおよび第１側壁２ａ（もしくは第２側壁２ｂ）の内壁面の適所に開設した止め穴に対応する位置に止着孔３７ｄ…を設けてある。
【００６５】
すなわち、上記載置部材３０３の主取付片３７ａの外側面を保護部材７０の被取付面７４から第１側壁２ａ（もしくは第２側壁２ｂ）の内壁面に押し当てると共に、前部補助取付片３７ｂおよび後部補助取付片３７ｃの外側面を第１側壁２ａ（もしくは第２側壁２ｂ）の内壁面に押し当て、取付片３７の各止着孔３７ｄ…と保護部材７０の被取付面７４および第１側壁２ａ（もしくは第２側壁２ｂ）の内壁面に設けた止め穴と対応するように調整することで、載置部材３０３を適正な取付位置に位置決めでき、この状態でビス２７によって載置部材３０３を保護部材７０および第１側壁２ａ（もしくは第２側壁２ｂ）に固着すれば良い。なお、上述した第１実施形態と同様に、不正防止カバー部材２７を設けるようにしても良い。
【００６６】
上述した第４構成例に係る保護部材７０と、これに適合する把持用開口部２５および載置部材３０３を備えるパチスロ遊技機１においても、上述したと実施形態と同様に、運搬作業に際して作業者が把持用開口部２５から差し入れた手指を把持部７２の把持面７２ａにフィットさせることができ、効率的な運搬作業を期せる。しかも、載置部材３０３の左右両側端部に設けた各取付片３７，３７を、左右両側方の把持用開口部２５，２５に各々設けた保護部材７０，７０の把持部７２の内側面７２ｃおよび第１側壁２ａ（もしくは第２側壁２ｂ）の内壁面に固着するものとしたので、合成樹脂等で形成した保護部材７０の内面側を金属製の取付片３７で直接補強する構造を実現できる。加えて、ビス止め用の止着孔３７ｄを、下方に屈曲させた主取付片３７ａと、上方に屈曲させた前後部補助取付片３７ｂ，３７ｃに分散させて設けたので、高い固定強度を得ることができる。
【００６７】
図１５および図１６に示すのは、第５構成例に係る保護部材８０を把持用開口部２５に設けて、載置部材３０４を位置決め・固定する実施形態を示すものである。
【００６８】
上記保護部材８０の外観は、図１５（ａ）に示すように、把持用開口部２５の少なくとも上部壁面に当接する平坦な当着面８１と、把持用開口部２５へ差し込まれた手が把持する把持部８２と、当着面８１の外側縁部より上方へ延出して本体枠２の第１側壁２ａ（もしくは第２側壁２ｂ）の外面に当接する外側延出壁８３と、上記把持部８２の内側面（外側延出壁８２が延出していない側の面）を平面とした被取付面８４を備える。また、被取付面８４には、把持面８２ａよりも適宜内側となる部位に設けた弧状の嵌合凹部たる嵌合溝８４ａ（例えば、当着面８１の一部が弦となる円弧状の開口が被取付面８４に生じ、該被取付面８４と相対向する把持部８４の外側面に向って窪む比較的浅い溝）を設けた。
【００６９】
上記把持部８２は、前後方向の略中央部で最も下方に膨出する中央膨出部８２１から前部で最も突出量が少なくなる前側窪部８２２および後部で最も突出量が少なくなる後側窪部８２３に向って膨出量が徐々に減少する滑らかな曲面形状の把持面８２ａが形成される。また、上記把持部８２は、前側窪部８２２を越えて前端部８５ａに向かうにつれ若干膨出量を高くし、同様に後側窪部８２３を越えて後端部８５ｂに向かうにつれ若干膨出量を高くすることで、把持面８２ａの前部および後部にちょうど指が収まるぐらいの凹面が生ずるようにした。
【００７０】
上記のように構成した保護部材８０は、例えば、外側延出壁８３に２箇所設けた止着孔８６…をビス２７…により止め付けるものとし、この時、保護部材８０の外側延出壁８３が、把持用開口部２５の上縁外側より第１側壁２ａ（もしくは第２側壁２ｂ）の外側面へ形成した浅い平坦な溝状の延出壁当着凹部２８に収まるようにすることで、保護部材８０における外側延出壁８３から把持部８２にかけての平坦な外側面が第１側壁２ａ（もしくは第２側壁２ｂ）の外壁面とほぼ面一な状態とする（図１６参照）。更に、この時、把持部８２の内側面である被取付面８４に設けた嵌合溝８４ａの最奥部が第１側壁２ａ（もしくは第２側壁２ｂ）の内壁面とほぼ面一な状態となるように、当着面８１の幅を調整してある。
【００７１】
そして、保護部材８０により位置決め・固定される載置部材３０４の左右両端を下方に屈曲させて形成した取付片３８の略中央部には、下方に膨出する円弧状突出部３８ａを形成し、この円弧状膨出部３８ａの下端縁より外向きに突出形成した嵌合つば部３８ｂが上記被取付面８４の嵌合溝８４ａにちょうど嵌まり込むようにしてある。また、円弧状突出部３８ｂの上端部まで形成した嵌合つば部３８ｂの前後両側に各々連なるように、ほぼ載置面３１と平行な状態で外向きに突出形成した前側載置部３８ｃと後側載置部３８ｄを形成し、嵌合つば部３８ｂを嵌合溝８４ａに嵌合させた際には、これら前側載置部３８ｃおよび後側載置部３８ｄがちょうど当着面８１上に載るようにしてある。さらに、上記円弧状突出部３８ａには、被取付面８４に設けた止め穴８７，８７に対応する位置に、止着孔３８ｅ，３８ｅを設けてある。
【００７２】
すなわち、上記載置部材３０４の取付片３８の嵌合つば部３８ｂを被取付面８４の嵌合溝８４ａに嵌め込んだ状態で、保護部材８０第１側壁２ａ（もしくは第２側壁２ｂ）の把持用開口部２５に取り付けることで、載置部材３０４を適正な取付位置に位置決め・固定でき、更に、ビス２７によって載置部材３０４を保護部材８０に固着すれば良い。また、本実施形態においては、載置部材３０４を第１側壁２ａ（もしくは第２側壁２ｂ）の内面に直接ビス止めできるように、取付片３８の外側面と第１側壁２ａ（もしくは第２側壁２ｂ）の内壁面との間に生じた離隔空部に補填部材９１を噛ませるようにした（図１６（ｂ）参照）。なお、ビス止めするために離隔空部を埋める必要があるのは、止着孔３８ｅを設けた部位だけであるから、載置部材３０４の前後幅に対応した長さの補填部材９１を用いずに、比較的短い補填部材９１を適宜分散配置するようにしても良い。また、把持用開口部２５を介して不正部材が挿入されることを防止するために、上述した第１実施形態と同様に、不正防止カバー部材２８を設けるようにしても良い。
【００７３】
上述した第５構成例に係る保護部材８０と、これに適合する把持用開口部２５および載置部材３０４を備えるパチスロ遊技機１においても、上述した各実施形態と同様に、運搬作業に際して作業者が把持用開口部２５から差し入れた手指を把持部８２の把持面８２ａにフィットさせることができ、効率的な運搬作業を期せる。しかも、載置部材３０４の左右両側端部に設けた各取付片３８，３８の嵌合つば部３８ｂを、左右両側方の把持用開口部２５，２５に各々設けた保護部材８０，８０の被取付面８４に設けた嵌合溝８４ａに嵌合させて位置決め・固定するものとしたので、位置決め精度を高めることができると共に、合成樹脂等で形成した保護部材８０の内面側を金属製の取付片３８で補強できる。しかも、横方向に突出する嵌合つば部３８ｂを保護部材８０の嵌合溝８４ａに嵌合させる構造により、合成樹脂等で形成した保護部材８０に対する鉛直方向の補強にも効果がある。
【００７４】
なお、保護部材８０に対する載置部材３０４の位置決めおよび保護部材８０の補強に有効な嵌合凹部と嵌合凸部の構造は、上述した嵌合溝８４ａと嵌合つば部３８ｂとの組合せ構造に限らず、如何様に構成しても良い。例えば、載置部材３０４の取付片３８の複数箇所に分散させて突出片を設けると共に、これらに対応する複数の嵌合溝を保護部材８０の被取付面８４に設けて、受圧部となる嵌合箇所を非連続に分散させるようにしても良いし、或いは、周面にかかる外力に対して高い強度を期せる円柱状の嵌合凸部を載置部材３０４の取付片３８の複数箇所に突設すると共に、これらに対応する複数の丸穴を嵌合凹部として保護部材８０の被取付面８４に設けるようにしても良い。
【００７５】
上述した各実施形態においては、把持用開口部に設ける保護部材が載置部材の位置決め機能を有するものとしたが、これに限らず、本体枠２に載置部材の位置決め機能を設けるようにしても良く、この例を図１７および図１８に基づき説明する。
【００７６】
載置部材３０５には、その両端部の略中央部を下方に屈曲させた取付片３９ａと、該取付片の前方および後方の部位を側方（本体枠２の内側面）に向って延出させた前部被支持片３９ｂと後部被支持片３９ｃを設ける。
【００７７】
なお、上記載置部材３０５を取り付けるに際して把持用開口部２５に設ける保護部材６０′は、第３構成例として前述した保護部材６０に類したもので、把持用開口部２５の少なくとも上部壁面に当接する平坦な当着面６１と、把持用開口部２５へ差し込まれた手が把持する把持部６２と、当着面６１の外側縁部より上方へ延出して本体枠２の第１側壁２ａ（もしくは第２側壁２ｂ）の外面に当接する外側延出壁６３と、上記把持部６２の内側面（外側延出壁６２が延出していない側の面）を平面とした被取付面６４を備えるが、第１側壁２ａ（もしくは第２側壁２ｂ）の外側面へ形成した延出壁当着凹部２８に収まるように外側延出壁６３をビス２７…により止め付けて、保護部材６０′における外側延出壁６３から把持部６２にかけての平坦な外側面が第１側壁２ａ（もしくは第２側壁２ｂ）の外壁面とほぼ面一な状態とした時に、把持部６２の内側面である被取付面６４が上記前後部被支持片３９ｂ，３９ｃの突出量分だけ第１側壁２ａ（もしくは第２側壁２ｂ）の内壁面よりも突出した状態となるように当着面６１の横幅を調整してある（図１８（ａ）参照）。
【００７８】
また、上記載置部材３０５に形成した取付片３９ａには、上記保護部材６０′の被取付面６４の形状と略相似形となるように下方に膨出する円弧状突出部を形成してある。更に、取付片３９ａには、例えば、下部適所の２箇所に保護部材用止着孔３９ｄ，３９ｄを、上部適所の２箇所に本体枠用止着孔３９ｅ，３９ｅを開設してある。
【００７９】
他方、本体枠２には、第１側壁２ａおよび第２側壁２ｂの内面において、把持用開口２５の開口上縁よりも適宜上方部位となる前後２箇所に、略角柱状の前部支持部材９２と後部支持部材９３を、各々の平坦な上面である支持面９２ａおよび支持面９３ａが同一水平面内に並ぶように設ける。
【００８０】
そして、上記載置部材３０５の前部支持片３９ｂを上記本体枠２に設けた前部支持部材９２の支持面９２ａに載せ、載置部材３０５の後部支持片３９ｃを上記本体枠２に設けた後部支持部材９３の支持面９３ａ上に載せると、載置部材３０５の上下方向の位置決めが成される。また、例えば、上記載置部材３０５の前部支持片３９ｂの前端部が上記本体枠２に設けた前部支持部材９２の前端部とほぼ一致するように、載置部材３０５の左右両側の前部支持片３９ｂおよび後部支持片３９ｃを前部支持部材９２および後部支持部材９３の支持面９２ａ，９３ａ上に載せることで、前後方向の大まかな位置決めも行えるようにしても良い。この状態では、上記載置部材３０５の取付片３９ａの外側面が保護部材６０′の被取付面６４の適正位置に面しており、保護部材用止着孔３９ｄ，３９ｄからビス２７で保護部材６０′に固定すればよい。
【００８１】
また、前部支持部材９２は載置部材３０５の前部支持片３９ｂの後端よりも適宜長くすることで、本体枠用止着孔３９ｅと第１側壁２ａ（もしくは第２側壁２ｂ）の内壁面との離隔空部を埋める補填部材としても機能させ、同様に、後部支持部材９３は載置部材３０５の後部支持片３９ｃの前端よりも適宜長くすることで、本体枠用止着孔３９ｅと第１側壁２ａ（もしくは第２側壁２ｂ）の内壁面との離隔空部を埋める補填部材としても機能させ、載置部材３０５を第１側壁２ａ（もしくは第２側壁２ｂ）の内面に直接ビス止めできるようにした（図１８（ｂ）参照）。なお、把持用開口部２５を介して不正部材が挿入されることを防止するために、上述した第１実施形態と同様に、不正防止カバー部材２６を設けるようにしても良い。
【００８２】
上述した載置部材３０５と本体枠２に設けた支持部材９２，９３の位置決め構造を採用したパチスロ遊技機１においては、載置部材３０５を支持部材９２，９３に載せるという簡単な作業により上下方向の位置決めが成され、この状態で、保護部材６０′の被取付面６４に載置部材３０５の取付片３９ａを取り付けることが可能となり、組み付け作業の効率化に有効である。なお、本実施形態においては、第３構成例に類した保護部材６０′を用いる場合を例示したが、これに限らず、前述した他の構成例として示した保護部材を用いるようにしても良い。
【００８３】
以上本発明を実施形態に基づき具体的に説明したが、本明細書で開示された実施の形態は全て例示であって、開示された技術に限定されるものではないと考えるべきである。すなわち、本発明の技術的な範囲は、上記の実施形態における説明に基づいて制限的に解釈されるものではなく、あくまでも特許請求の範囲の記載に従って解釈すべきであり、特許請求の範囲の記載技術と均等な技術および特許請求の範囲内での全ての変更が含まれる。例えば、載置部材を一枚の金属材を加工して左右両端に取付片等を形成する構成に限らず、別部材として形成したものを取り付けるようにしても構わない。
【図面の簡単な説明】
【００８４】
【図１】本発明に係る遊技機として例示するパチスロ遊技機の正面図である。
【図２】前面枠を開放して本体枠内部を視認可能としたパチスロ遊技機の正面図である。
【図３】本体枠と保護部材と載置部材の分解斜視図である。
【図４】本体枠に保護部材と載置部材を取り付けた状態を示す斜視図である。
【図５】第１構成例に係る保護部材の斜視図である。
【図６】本体枠側面における把持用開口部に第１構成例の保護部材を取り付けた部位の拡大図である。
【図７】図６のＶＩＩ−ＶＩＩ線の概略断面図である。
【図８】保護部材における把持部の変形例についての説明図である。
【図９】第２構成例に係る保護部材を把持用開口から取り外した状態を示す斜視図である。
【図１０】第２構成例に係る保護部材を把持用開口部に設けた状態の概略縦断面図である。
【図１１】（ａ）は第３構成例に係る保護部材の斜視図である。（ｂ）は第３構成例に係る保護部材の載置部材取付側の側面図である。
【図１２】第３構成例に係る保護部材を把持用開口部に設けた状態の概略縦断面図である。
【図１３】（ａ）は第４構成例に係る保護部材の斜視図である。（ｂ）は第４構成例に係る保護部材に取り付ける載置部材の要部斜視図である。
【図１４】第４構成例に係る保護部材を把持用開口部に設けた状態の概略縦断面図である。
【図１５】（ａ）は第５構成例に係る保護部材の載置部材取付側の側面図である。（ｂ）は第５構成例に係る保護部材に取り付ける載置部材の要部斜視図である。
【図１６】（ａ）は第５構成例に係る保護部材を把持用開口部に設けた状態の概略縦断面図である。（ｂ）は載置部材の取り付け説明図である。
【図１７】（ａ）は側壁内面に支持部材を設けた本体枠の斜視図である。（ｂ）は本体枠の支持部材に載せる被支持片を備える載置部材の要部斜視図である。
【図１８】（ａ）は支持部材を設けた本体枠の把持用開口部に第４構成例に係る保護部材を設けた状態の概略縦断面図である。（ｂ）は載置部材の取り付け説明図である。
【符号の説明】
【００８５】
１    パチスロ遊技機
２    本体枠
３    前面枠
２０    リール装置
２５    把持用開口部
３０１  載置部材
３３    取付片
３３ａ  嵌合凸片部
４０    保護部材
４１    当着面
４２    把持部
４２１  中央膨出部
４２２  前側窪部
４２３  後側窪部
４３    外側延出壁
４４    内側延出壁
４６    溝部
【図１】
2005270239.tif 000003
【図２】
2005270239.tif 000004
【図３】
2005270239.tif 000005
【図４】
2005270239.tif 000006
【図５】
2005270239.tif 000007
【図６】
2005270239.tif 000008
【図７】
2005270239.tif 000009
【図８】
2005270239.tif 000010
【図９】
2005270239.tif 000011
【図１０】
2005270239.tif 000012
【図１１】
2005270239.tif 000013
【図１２】
2005270239.tif 000014
【図１３】
2005270239.tif 000015
【図１４】
2005270239.tif 000016
【図１５】
2005270239.tif 000017
【図１６】
2005270239.tif 000018
【図１７】
2005270239.tif 000019
【図１８】
2005270239.tif 000020